(57)【特許請求の範囲】
【請求項１】
既存の床材の上に改装用床材が配置されているとともに、この改装用床材は、前記既存の床材の上に設置されている設置物の設置場所を除いて前記既存の床材の上に配置されており、前記設置物と前記改装用床材との間に見切縁が配置され、前記既存の床材に固定されているこの見切縁は、前記改装用床材の前記設置物側の端部と係合し、この端部が前記既存の床材から浮き上がることを阻止するための部分を有しており、前記見切縁は、上部に上部片を有しているとともに、下部に下部片を有しており、これらの上部片と下部片の間は凹部となっており、前記改装用床材の前記設置物側の端部には実が形成され、この実が前記凹部に嵌め込まれており、前記見切縁の前記部分は前記凹部となっていることを特徴とする改装用床材前記改装床。
【請求項２】
請求項１に記載の改装床において、前記上部片の先端から前記改装用床材の長手方向に弾性的な当接片が突出形成され、この当接片の先端部分が前記実よりも上部の前記改装用床材の端面に当接していることを特徴とする改装床。
【請求項３】
既存の床材の上に改装用床材が配置されているとともに、この改装用床材は、前記既存の床材の上に設置されている設置物の設置場所を除いて前記既存の床材の上に配置されており、前記設置物と前記改装用床材との間に見切縁が配置され、前記既存の床材に固定されているこの見切縁は、前記改装用床材の前記設置物側の端部と係合し、この端部が前記既存の床材から浮き上がることを阻止するための部分を有しており、前記見切縁は、この見切縁の上下方向中程から突出した係合片を有しており、前記係合片に対応する前記改装用床材の端面位置には係合溝が形成され、この係合溝に前記係合片が嵌め込まれており、前記見切縁の前記部分は前記係合片となっていることを特徴とする改装床。
【請求項４】
既存の床材の上に改装用床材が配置されているとともに、この改装用床材は、前記既存の床材の上に設置されている設置物の設置場所を除いて前記既存の床材の上に配置されており、前記設置物と前記改装用床材との間に見切縁が配置され、前記既存の床材に固定されているこの見切縁は、前記改装用床材の前記設置物側の端部と係合し、この端部が前記既存の床材から浮き上がることを阻止するための部分を有しており、前記見切縁は、上部に上部片を有しているとともに、下部に下部片を有しており、これらの上部片と下部片の間は、上下寸法が前記改装用床材の厚さと同じ又はほぼ同一となっている凹部となっており、この凹部に前記改装用床材の端部全体が嵌め込まれており、前記見切縁の前記部分は前記凹部となっており、前記設置物の下端部と対向する前記見切縁の下部には、断面三角状の突起片が突出形成されており、この突起片が前記設置物の下端部と前記既存の床材との間に押し込められていることを特徴とする改装床。
【発明の詳細な説明】
【０００１】
【発明の属する技術分野】
本発明は、住宅等における床の改装方法及び改装床に係り、床をリフォームする際に利用できるものである。
【０００２】
【従来の技術】
住宅の一部を改装するいわゆるリフォームが近年盛んに行われるようになっている。このリフォームが行われる箇所の一例として床がある。従来、床のリフォームは、これまで使用していた床材を下地材から剥がすなどの作業を行い、この後、新たな床材を下地材上に敷いて固定することにより行われていた。
【０００３】
【発明が解決しようとする課題】
この床の改装方法によると、既存の床材を下地材から剥がすため作業が大掛かりとなり、コスト及び工期の点で問題があった。
【０００４】
特に、例えば台所の床をリフォームする場合、この台所の床を形成している床材の上には、床下まで延びる排水管等が接続された据え付け設置物となっているキッチンユニットが設置されているため、先ずキッチンユニットの持ち出しを行ってから既存の床材を下地材から取り外す作業を行い、そして排水管等の挿通孔が形成された新たな床材を下地材上に敷いて固定し、この後、キッチンユニットを床のもとの位置に運び戻す作業を行わなければならない。
【０００５】
このようなキッチンユニット等の床上設置物が設けられている床について、上記改装方法を実施するためには、床上設置物の持ち出し作業、運び戻し作業を行わなければならず、このため、床の改装作業が一層大掛かりのものとなるという問題が生ずる。
【０００６】
本発明の目的は、床の改装作業を簡単に行うことができ、コスト及び工期の点で有利となる床の改装方法及び改装床を提供するところにある。
【０００７】
【課題を解決するための手段】
この目的を達成するため、本発明に係る床の改装方法は、既存の床材の上に改装用床材を配置することにより床を改装することを特徴とするものである。
【０００８】
この床の改装方法では、既存の床材を下地材から剥がすのでなく、既存の床材の上に改装用床材を配置することにより床の改装を行うため、改装作業を簡単に行え、安いコストにより短時間、短期間で作業を終了できる。
【０００９】
この改装方法は、既存の床材の上に設置物が設置されている場合にも、設置されていない場合にも適用できる。
【００１０】
既存の床材の上に設置物が設置されている場合には、改装用床材を既存の床材の上に配置する作業は、設置物が設置されている場所を除いて行う。
【００１１】
また、既存の床材の端部が壁に突き当てられ、この端部を隠す幅木が壁に取り付けられている場合には、この幅木を壁から取り外し、この後、既存の床材の上に改装用床材を配置し、次いでこの改装用床材の壁に突き当てられた端部が隠れる高さにおいて幅木を壁に取り付けるようにしてもよい。
【００１２】
このようにすると、壁に突き当てられた改装用床材の端部が幅木によって隠されるため、改装用床材の壁への突き当て部分を綺麗に仕上げることが可能になる。
【００１３】
このように幅木によって壁への改装用床材の突き当て端部を綺麗に仕上げる床の改装方法において、改装用床材の配置後に壁に取り付ける幅木は、改装用床材の配置前から壁に取り付けられていた幅木をそのまま用いる再使用物でもよく、新たに用意した幅木でもよい。
【００１４】
本発明に係る改装床は、既存の床材の上に改装用床材が配置されていることを特徴とするものである。
【００１５】
この改装床では、既存の床材の上に改装用床材を配置した構造になっているため、上記床の改装方法と同様に、これまで使用していた床材を下地材から剥がす必要がなくなり、改装作業の簡単化によって安いコスト、短い時間、工期で作業を終了することができる。
【００１６】
この改装床も、既存の床材の上に設置物が設置されている場合にも、設置されていない場合にも適用できる。
【００１７】
既存の床材の上に設置物が設置されている場合には、改装用床材は設置物が設置されている場所を除いて既存の床材の上に配置される。
【００１８】
ここで、既存の床材と改装用床材は、細長の部材であってその幅方向に多数並設されることにより床を形成するものでもよく、小型パネルのように一定面積を有し、左右方向と前後方向に複数並設されることにより床を形成するものでもよく、大型パネルのように大面積を有し、一枚又は少数枚で床を形成するものでもよい。
【００１９】
既存の床材と改装用床材が細長部材である場合には、既存の床材に対し改装用床材を直交配置することが好ましい。
【００２０】
このようにすると、改装された床は互いに直交する既存の床材と改装用床材とにより大きな強度を備えたものとなる。
【００２１】
また、既存の床材の上に設置物がある場合には、既存の床材の上に改装用床を配置する際、設置物と改装用床材との間に見切縁を配置することが好ましい。
【００２２】
このようにすると、設置物を既存の床材に設置したまま床を改装できるとともに、改装用床材の設置物側の端部を見切縁で隠すことによりこの端部を綺麗に仕上げることが可能となる。さらに、改装用床材に反り等があっても、改装用床材の端部を見切縁に係合させることにより、改装用床材の端部が既存の床材から浮き上がらないようにすることも可能になる。
【００２３】
このような見切縁を採用する場合には、任意な形状、構造の見切縁を使用できる。例えば、見切縁と改装用床材との間の隙間に塵や水等が侵入するのを防止するため、見切縁をゴム或いはプラスチック等で形成し、見切縁に改装用床材に当接する当接片を設けることにより、この当接片で見切縁と改装用床材との間の隙間を塞ぐようにしてもよい。
【００２４】
また、見切縁に突出形成された係合片を設け、この係合片に対応する改装用床材の位置に係合溝を形成することにより、見切縁の係合片と改装用床材の係合溝との嵌め合わせで見切縁と改装用床材との間を塞ぎ、塵や水等がこれらの間に侵入するのを防止してもよい。
【００２５】
さらに、見切縁に改装用床材の厚さと同じ又はほぼ同一の上下寸法を有する凹部を設け、この凹部に改装用床材の端部全体を嵌め込むことにより、改装用床材に実が設けられていなくても見切縁と改装用床材との間を塞ぎ、塵や水等がこれらの間に侵入しないようにしてもよい。
【００２６】
また、見切縁における設置物の下端部と対向する箇所に突起片を設け、この突起片を設置物の下端部と既存の床材との間に押し込むことにより見切縁を固定し、これによって見切縁の浮き上がり防止、延いては改装用床材の設置物側の端部の浮き上がり防止を図るようにしてもよい。
【００２７】
以上の本発明に係る床の改装方法及び改装床は、パネル工法、ユニット工法、軸組工法等の任意な工法で建てられた住宅等の建物の床に適用でき、既存の床材に下に設けられる下地材の種類や構造は、これらの工法に応じたものでよい。
【００２８】
【発明の実施の形態】
以下に本発明の一実施の形態に係る床の改装方法及び改装床を説明する。図１は、本実施の形態の改装床が適用された台所１を示す。相互に平行に延びる複数の根太２の上に下地材３が支持され、この下地材３に対し垂直となっている左右及び奥の壁４に囲まれて台所１内の空間が形成されている。下地材３の上面には図示しない接着剤を介して、細長部材であって、図１の紙面に対して前後方向に延びる既存の床材６が複数左右方向に並設されている。
【００２９】
図２は図１のII部分の拡大図で、この図２で示すように、それぞれの既存の床材６の幅方向の左端側で下部寄りの部分には、実６Ａが左側に突出するように形成されており、これらの既存の床材６の幅方向の右端側で上部寄りの部分には、実６Ｂが右側に突出するように形成されている。また、既存の床材６の左側に突出した実６Ａの部分が釘７により下地材３に固定され、この床材６と隣合った床材６の右側に突出した実６Ｂがこの実６Ａの上部に被せられ、このような構造がそれぞれの床材６の幅方向に繰り返されることにより、既存の床材６による床面が形成されている。
【００３０】
さらに、図１に示すように、既存の床材６による床面上には、既存の床材６と同様の形状となっている複数の改装用床材８が配置され、細長部材であるこれらの改装用床材８は、既存の床材６に対し直交する向きに配置されている。
【００３１】
これらの改装用床材８を具体的に説明すると、図３は図１のIII−III線断面図で、この図３に示すように、それぞれの改装用床材８の幅方向の左端側で下部寄りの部分には、実８Ａが左側に突出するように形成されており、改装用床材８の幅方向の右端側で上部寄りの部分には、実８Ｂが右側に突出するように形成されている。また、この改装用床材８の左側に突出した実８Ａの部分が釘７により既存の床材６に固定され、この改装用床材８と隣合った改装用床材８の右側に突出した実８Ｂがこの実８Ａの上部に被せられている。そして、このような構造が床材８の幅方向に繰り返されることにより、複数の改装用床材８が並設され、これらの床材８は既存の床材６の上面に接着剤９で接着されて固定されており、これにより、改装用床材８でリフォームされた台所１のフローリングの床が形成されている。
【００３２】
既存の床材６上であって図１における左側の壁４に沿った位置には、重量家具であるキッチンユニット１１が配置されている。この壁４には、このキッチンユニット１１の上部において水栓１２が設けられ、この水栓１２と上下に対向するキッチンユニット１１の上面部分にはシンク１１Ａが形成されている。そして、このシンク１１Ａには床の下側にまで延びる図示しない排水管が接続されている。このため、キッチンユニット１１は既存の床材６による床面上に据え付けられた据え付け設置物となっている。
【００３３】
また、キッチンユニット１１の上部の壁４と天井５とのコーナー部分には、吊り戸棚１３及びレンジフード１４が配置されており、台所１を区画する反対側の壁４沿いには、食器等を収納するための移動可能な食器棚１５が配置されている。
【００３４】
図４は、キッチンユニット１１に対する改装用床材８の見切部分を示す。図４に示すように、キッチンユニット１１の下部側面と対向する改装用床材８の長さ方向の端部と、キッチンユニット１１との間には、断面がコ字状になっていてゴム或いはプラスチック等で形成された見切縁１６が配置されている。この見切縁１６は、上部に上部片１６Ａを有し、下部に上部片１６Ａより長い下部片１６Ｂを有する構造となっていて、これらの間は凹部１６Ｃとなっている。また、この見切縁１６は、改装用床材８の端部とキッチンユニット１１との間の隙間を塞ぐように細長く形成されており、見切縁１６の下部片１６Ｂに釘７が打ち込まれることで、見切縁１６は既存の床材６に固定されている。
【００３５】
そして、改装用床材８の長手方向におけるキッチンユニット１１側の端部で下部寄りの部分には、実８Ｃがキッチンユニット１１側に突出するように形成されており、この実８Ｃが見切縁１６の凹部１６Ｃに嵌め込まれている。これにより、改装用床材８のキッチンユニット１１側の端部は見切縁１６に係合されているとともに、見切縁１６の上端面と改装用床材８の上面とがほぼ同一の高さとなって、見切縁１６と改装用床材８との間に段差が生じないようになっている。また、改装用床材８のキッチンユニット１１側の端部の下面には、上方へ窪んだ段部８Ｄが形成され、この段部８Ｄに見切縁１６の下部片１６Ｂが挿入されている。
【００３６】
一方、図１における改装用床材８のキッチンユニット１１とは反対側の端部は、図２に示すように、食器棚１５が配置された壁４の下部に突き当てられ、また、図１の奥側の壁４に隣接する改装用床材８の端部、具体的にはこの改装用床材８における奥側の壁４と対向する側面は、図３に示すように、この壁４に突き当てられている。これらの壁４には幅木１７が取り付けられ、図２の壁４に突き当てられた改装用床材８の端部及び図３の壁４に突き当てられた改装用床材８の側面は、幅木１７に下に入り込んでいる。これにより、これらの改装用床材８の壁４側の端部は、幅木１７で見切処理されている。そして、図３の壁４に隣接配置されている改装用床材８は、他の改装用床材８に対して幅方向途中で切断されたものが使用され、これにより、壁４までの間隔が調節されている。
【００３７】
次に、本実施の形態に係る床の改装方法を説明する。図５は、改装用床材８で床を改装する前の台所１を示す。この改装前の台所１では、食器棚１５側の壁４及び奥側の壁４について幅木１７が取り付けられ、これらの幅木１７により、食器棚１５側の壁４及び奥側の壁４に突き当てられている既存の床材６の端部が隠された見切処理がなされている。
【００３８】
先ず、図５の台所１内から、重量家具であって据え付け設置物となっているキッチンユニット１１を取り外すことなく、食器棚１５のみを外部に運び出し、この後、既存の床材６の端部が突き当てられている上記それぞれの壁４から幅木１７を一旦取り外す。
【００３９】
この後、図４に示すように、キッチンユニット１１の下部側面に沿ように見切縁１６を釘７によって既存の床材６に固定する。このとき、見切縁１６を釘７と接着剤の両方で既存の床材６に固定してもよい。そして、見切縁１６の凹部１６Ｃにそれぞれの改装用床材８の実８Ｃを嵌め込みながら、キッチンユニット１１の設置場所を除く既存の床材６の上に接着剤９が塗られた改装用床材８を順次載せ、それぞれの改装用床材８の実８Ａに釘７を打ち込むことにより、既存の床材６の上に改装用床材８を並設配置する。
【００４０】
次いで、図２及び図３の壁４に突き当てられた改装用床材８の端部を隠す高さにおいて、一旦取り外した幅木１７を壁４に再度取り付け直し、これにより、これらの改装用床材８の壁４側の端部を見切処理する。そして、台所１外に運び出した食器棚１５を台所１内に戻すことにより、台所１内の床を改装するリフォーム作業が完了することになる。
【００４１】
以上の本実施の形態によると、既存の床材６の上に単に改装用床材８を配置して床をリフォームするため、これまで使用していた既存の床材６を下地材３から剥がす必要がなくなり、また、重量家具であって床への据え付け設置物になっているキッチンユニット１１を床材６から取り外す必要もなくなる。この結果として、床のリフォームが大掛かりな作業とならず、改装作業を簡単化して改装のための時間、工期を短縮でき、さらに改装のためのコストを低減することが可能となる。
【００４２】
また、改装前の幅木１７を壁４から一旦取り外し、改装用床材８の端部を隠す高さとなる壁４の位置に、幅木１７を再度取り付けるようにしたので、壁４に突き当てられた改装用床材８の端部を幅木１７で隠すことができ、この部分を綺麗に仕上げることができる。
【００４３】
また、既存の床材６に対し直交させて改装用床材８を配置したため、改装後の床は、既存の床材６と改装用床材８が相互に補強し合うことになり、この結果、改装後の床の強度を大きくすることができる。
【００４４】
さらに、既存の床材６の上にキッチンユニット１１があっても、このキッチンユニット１１と改装用床材８との間に見切縁１６を配置したので、改装用床材８のキッチンユニット１１側の端部を綺麗に仕上げることができる。また、改装用床材８に反り等があっても、改装用床材８のキッチンユニット１１側の端部が見切縁１６に係合されることにより、改装用床材８のこの端部が既存の床材６から浮き上がるのを防止できる。
【００４５】
次に、本発明の実施の形態に係る第１変形例を図６で説明する。この第１変形例では、ゴム或いはプラスチック等で見切縁１６が形成されているだけでなく、見切縁１６の上部片１６Ａの先端から改装用床材８の長手方向に弾性的な当接片１８が突出形成されている。見切縁１６の長さ方向に連続して形成されているこの当接片１８が弾性変形しつつ、その先端部分が実８Ｃよりも上部の改装用床材８の端面に当接している。
【００４６】
このため、当接片１８によって見切縁１６と改装用床材８との間の隙間が確実に塞がれ、塵や水等がこの隙間から侵入するのを防止できる。
【００４７】
図７は、本発明の実施の形態の第２変形例を示す。本変形例の見切縁１６には上部片１６Ａが無く、この代わりに見切縁１６の上下方向中程から係合片１６Ｄが突出している。そして、これに対応して改装用床材８には実８Ｃが無い代わりに、係合片１６Ｄに対応する改装用床材８の端面位置に係合溝８Ｅが形成されている。
【００４８】
このため、見切縁１６の係合片１６Ｄが改装用床材８の係合溝８Ｄに嵌め込まれ、第１変形例と同様に、見切縁１６と改装用床材８との間が確実に塞がれ、塵や水等が侵入するのを防止できる。
【００４９】
図８は、本発明の実施の形態の第３変形例を示す。本変形例の改装用床材８にも実８Ｃが無く、また、見切縁１６の凹部１６Ｆの上下寸法は改装用床材８の厚さと同じ又はほぼ同一となっており、この見切縁１６の上部から改装用床材８の上面に乗り上げた上部片１６Ｅが突出形成されている。
【００５０】
このため、見切縁１６の上部片１６Ｅと下部片１６Ｂとの間の凹部１６Ｆに改装用床材８の端部全体が嵌め込まれ、第１変形例及び第２変形例と同様に、見切縁１６と改装用床材８との間が確実に塞がれ、塵や水等が侵入するのを防止されている。
【００５１】
また、本変形例によれば、改装用床材８の長さ方向の端部に実８Ｃや係合溝８Ｄを形成するための加工が不要となり、改装用床材８の加工コストを低減することが可能になる。すなわち、改装用床材８を製作するために、幅方向の両側面に予め図３の実８Ａ，８Ｂが形成されている長尺の改装用床材材料を製作し、これを床の改装現場に運び、この改装現場で必要な長さに切断することにより、所定長さの改装用床材８を得ることが行われるが、本変形例によると、改装現場において、改装用床材８の長さ方向の端部に実８Ｃや係合溝８Ｅを形成するための作業を行う必要がなく、前記段部８Ｄのみを形成すればよいため、それだけ改装現場作業を容易なものにできる。
【００５２】
図９は、本発明の実施の形態の第４変形例を示す。キッチンユニット１１の下端部と対向する見切縁１６の下部には断面三角状の突起片１９が突出形成されており、この突起片１９がこのキッチンユニット１１の下端部と既存の床材６との間に押し込められている。
【００５３】
このため、見切縁１６のキッチンユニット１１側の端部が既存の床材６から浮き上がるのを確実に防止でき、また、この見切縁１６の凹部１６Ｆに端部が係合されている改装用床材８の浮き上がりも確実に防止できる。
【００５４】
なお、既存の床材６同士の幅方向の連結及び改装用床材８同士の幅方向の連結のために、図１０で示す構造を採用してもよい。図１０は改装用床材８の場合を示し、改装用床材８の幅方向の一方の端部に実８Ｆが形成され、他方の端部に溝８Ｇが形成されている。幅方向に隣接する改装床材８同士は、既存の床材６に釘７を打たれた溝８Ｇに実８Ｆを挿入することにより互いに連結されている。
【００５５】
【発明の効果】
本発明によれば、床の改装作業を簡単に行うことができ、コスト及び工期の点で有利となるという効果を得られる。
【図面の簡単な説明】
【図１】本発明の実施の形態に係る改装床が適用されている台所の断面図である。
【図２】図１のII部分の拡大図である。
【図３】図１のIII−III線断面図である。
【図４】図１におけるキッチンユニットに対する改装用床材の見切部分の拡大図である。
【図５】改装前の台所の断面図である。
【図６】第１変形例を示す図４と同様の図である。
【図７】第２変形例を示す図４と同様の図である。
【図８】第３変形例を示す図４と同様の図である。
【図９】第４変形例を示す図４と同様の図である。
【図１０】床材同士の幅方向の連結の変形例を示す断面図である。
【符号の説明】
１    台所
４    壁
６    既存の床材
８    改装用床材
１１  床上の設置物であるキッチンユニット
１６  見切縁
１７  幅木
【図１】
0004226138.tif 000002
【図２】
0004226138.tif 000003
【図３】
0004226138.tif 000004
【図４】
0004226138.tif 000005
【図５】
0004226138.tif 000006
【図６】
0004226138.tif 000007
【図７】
0004226138.tif 000008
【図８】
0004226138.tif 000009
【図９】
0004226138.tif 000010
【図１０】
0004226138.tif 000011